(57)【特許請求の範囲】
【請求項１】
基台と、
前記基台に設けられた回転支点を中心に回動する第１の開閉部と、
前記第１の開閉部と同じ回転支点を中心に回動し、前記第１の開閉部上に配置された第２の開閉部と、
前記基台に設けられた回転支点を中心に回動する第３の開閉部と、
前記第３の開閉部に設けられた回転支点を中心に回動する第４の開閉部とを備え、
前記第１および第２の開閉部と、前記第３および第４の開閉部とを、それぞれの開放端を対向させて前記基台上に観音開きに配置し、
前記第１ないし第４の開閉部を開放状態にした後の閉鎖時に、前記第３および第４の開閉部を閉鎖した後に、前記第１および第２の開閉部を閉鎖するプリンタ装置において、
前記基台に設けられた回転支点を中心に回動し、前記第１の開閉部の前記開放端側に設けられた当接ポストに嵌合する凹部と、前記凹部の口元の前記第１の開閉部の回転支点側に配置され前記当接ポストを当接させる当接部と、前記当接部の前記凹部を挟んだ反対側に配置され前記第４の開閉部の前記開放端側に設けられた係合ポストが押圧する傾斜部とを有するステイと、
前記ステイの傾斜部の前記第４の開閉部の係合ポストの方向への回動を制限するストッパと、
前記ステイを前記ストッパの方向に付勢する付勢手段と、を設け、
前記第４の開閉部の閉作動時に、前記第４の開閉部の係合ポストにより前記ステイの傾斜部を押圧して当該ステイを前記付勢方向に抗して回動させて、前記第１の開閉部の当接ポストを前記ステイの凹部に嵌合させることによって、前記第４の開閉部を閉鎖した後に前記第１の開閉部を閉鎖状態にし、
前記第１ないし第４の開閉部の開放時に、前記第１の開閉部の当接ポストと前記ステイの凹部との嵌合を解除することで、前記付勢方向に回動する前記ステイを前記ストッパで係止し、前記ステイの当接部を、前記第１の開閉部の当接ポストの前記第１の開閉部の回転支点を中心とした移動軌跡に交差する位置に位置させるように構成したことを特徴とするプリンタ装置。
【請求項２】
請求項１において、
前記ステイと同じ回転支点を中心に回動し、前記第４の開閉部の係合ポストに係合するフック部を有するフックレバーを設け、
前記フック部の先端を、前記第１の開閉部の当接ポストと前記ステイの凹部との嵌合が解除されたときに、前記第４の開閉部の係合ポストとの当接が解除される位置に形成したことを特徴とするプリンタ装置。
【請求項３】
基台と、
前記基台に設けられた回転支点を中心に回動する第１の開閉部と、
前記第１の開閉部と同じ回転支点を中心に回動し、前記第１の開閉部上に配置された第２の開閉部と、
前記基台に設けられた回転支点を中心に回動する第３の開閉部と、
前記第３の開閉部に設けられた回転支点を中心に回動する第４の開閉部とを備え、
前記第１および第２の開閉部と、前記第３および第４の開閉部とを、それぞれの開放端を対向させて前記基台上に観音開きに配置し、
前記第１ないし第４の開閉部を開放状態にした後の閉鎖時に、前記第３および第４の開閉部を閉鎖した後に、前記第１および第２の開閉部を閉鎖するプリンタ装置において、
前記基台に設けられた回転支点を中心に回動し、前記第１の開閉部の前記開放端側に設けられた当接ポストに嵌合する凹部と、前記凹部の口元の前記第１の開閉部の回転支点側に配置され前記当接ポストを当接させる当接部と、前記当接部の前記凹部を挟んだ反対側に配置され前記第４の開閉部の前記開放端側に設けられた係合ポストが押圧する傾斜部と、前記傾斜部の前記係合ポスト側に配置され前記係合ポストに係合する係合部とを有するステイと、
前記ステイの傾斜部を、前記第４の開閉部の係合ポストの方向に付勢する付勢手段と、
前記ステイの傾斜部の前記第４の開閉部の係合ポストの方向への回動を制限するストッパと、を設け、
前記第４の開閉部の係合ポストにより前記ステイの傾斜面を押圧し前記第１の開閉部の当接ポストを前記ステイの凹部に嵌合させると、当該嵌合状態によって、前記ステイを前記付勢手段の付勢力に抗して前記ストッパとは反対方向に移動させて、前記第４の開閉部の係合ポストを前記ステイの係合部に係合させ、前記第１ないし第４の開閉部を閉鎖状態にし、
前記第１および第２の開閉部の開作動時に、前記第１の開閉部の当接ポストと前記ステイの凹部との嵌合が解除されたときに、前記付勢手段の付勢力により、前記係合部と前記第４の開閉部の係合ポストとの係合を解除して、前記ストッパで前記ステイを係止し、前記ステイの当接部を、前記第１の開閉部の当接ポストの前記第１の開閉部の回転支点を中心とした移動軌跡に交差する位置に位置させるように構成したことを特徴とするプリンタ装置。
【請求項４】
基台と、
前記基台に設けられた回転支点を中心に回動する一の開閉部と、
回動可能に構成された他の開閉部とを備え、
前記一の開閉部と、前記他の開閉部とを、それぞれの開放端を対向させて前記基台上に観音開きに配置し、
前記一の開閉部と前記他の開閉部を開放状態にした後の閉鎖時に、前記他の開閉部を閉鎖した後に、前記一の開閉部を閉鎖するプリンタ装置において、
前記基台に設けられた回転支点を中心に回動し、前記一の開閉部の前記開放端側に設けられた当接ポストに嵌合する凹部と、前記凹部の口元の前記一の開閉部の回転支点側に配置され前記当接ポストを当接させる当接部と、前記当接部の前記凹部を挟んだ反対側に配置され前記他の開閉部の前記開放端側に設けられた係合ポストが押圧する傾斜部とを有するステイと、
前記ステイの傾斜部の前記他の開閉部の係合ポストの方向への回動を制限するストッパと、
前記ステイを前記ストッパの方向に付勢する付勢手段と、を設け、
前記他の開閉部の閉作動時に、前記他の開閉部の係合ポストにより前記ステイの傾斜部を押圧して当該ステイを前記付勢方向に抗して回動させて、前記一の開閉部の当接ポストを前記ステイの凹部に嵌合させることによって、前記他の開閉部を閉鎖した後に前記一の開閉部を閉鎖状態にし、
前記一の開閉部と前記他の開閉部の開放時に、前記一の開閉部の当接ポストと前記ステイの凹部との嵌合を解除することで、前記付勢方向に回動する前記ステイを前記ストッパで係止し、前記ステイの当接部を、前記一の開閉部の当接ポストの前記一の開閉部の回転支点を中心とした移動軌跡に交差する位置に位置させるように構成したことを特徴とするプリンタ装置。
【請求項５】
基台と、
前記基台に設けられた回転支点を中心に回動する一の開閉部と、
回動可能に構成された他の開閉部とを備え、
前記一の開閉部と、前記他の開閉部とを、それぞれの開放端を対向させて前記基台上に観音開きに配置し、
前記一の開閉部と前記他の開閉部を開放状態にした後の閉鎖時に、前記他の開閉部を閉鎖した後に、前記一の開閉部を閉鎖するプリンタ装置において、
前記基台に設けられた回転支点を中心に回動し、前記一の開閉部の前記開放端側に設けられた当接ポストに嵌合する凹部と、前記凹部の口元の前記一の開閉部の回転支点側に配置され前記当接ポストを当接させる当接部と、前記当接部の前記凹部を挟んだ反対側に配置され前記他の開閉部の前記開放端側に設けられた係合ポストが押圧する傾斜部と、前記傾斜部の前記係合ポスト側に配置され前記係合ポストに係合する係合部とを有するステイと、
前記ステイの傾斜部を、前記他の開閉部の係合ポストの方向に付勢する付勢手段と、
前記ステイの傾斜部の前記他の開閉部の係合ポストの方向への回動を制限するストッパと、を設け、
前記他の開閉部の係合ポストにより前記ステイの傾斜面を押圧し前記一の開閉部の当接ポストを前記ステイの凹部に嵌合させると、当該嵌合状態によって、前記ステイを前記付勢手段の付勢力に抗して前記ストッパとは反対方向に移動させて、前記他の開閉部の係合ポストを前記ステイの係合部に係合させ、前記一の開閉部と前記他の開閉部を閉鎖状態にし、
前記一の開閉部の開作動時に、前記一の開閉部の当接ポストと前記ステイの凹部との嵌合が解除されたときに、前記付勢手段の付勢力により、前記係合部と前記他の開閉部の係合ポストとの係合を解除して、前記ストッパで前記ステイを係止し、前記ステイの当接部を、前記一の開閉部の当接ポストの前記一の開閉部の回転支点を中心とした移動軌跡に交差する位置に位置させるように構成したことを特徴とするプリンタ装置。
【発明の詳細な説明】
【技術分野】
【０００１】
本発明は、通帳等の冊子状の媒体や、伝票等のシート状の媒体等の各種の媒体を取扱うプリンタ装置に関する。
【背景技術】
【０００２】
従来のプリンタ装置は、通帳挿入路および伝票挿入路からなる２つの搬送路を設けたインサータユニットと、通帳挿入路および伝票挿入路の合流部の下流側に印字部を設けた本体ユニットとを備え、インサータユニットを本体ユニットに着脱自在に装着し、通帳挿入路または伝票挿入路におけるジャム等の搬送障害の発生時やインクリボンの交換時に、本体ユニットからインサータユニットを取外して、ジャムを生じさせた伝票または通帳の除去やインクリボンの交換を行っている（例えば、特許文献１参照。）。
【先行技術文献】
【特許文献】
【０００３】
【特許文献１】特開平８−２２４９２５号公報（段落０００９、００３０−００３４、第１図、第４図）
【発明の概要】
【発明が解決しようとする課題】
【０００４】
しかしながら、上述した従来の技術においては、本体ユニットからインサータユニットを取外して、ジャムを生じさせた伝票または通帳の除去やインクリボンの交換を行っているため、取外したインサータユニットを置いておく場所を必要とし、プリンタの設置場所の近傍に、ジャム媒体の除去作業やインクリボンの交換作業のための作業スペースを確保しておく必要があるという問題がある。
【０００５】
このため、インサータユニットの２つの搬送路や、印刷部をそれぞれ回動させて開放することが可能な開閉機構を設ければ、作業スペースを確保する必要がなくなり、プリンタの設置場所の近傍のスペースユーティリティを高めることができる。
【０００６】
図２１は、前記した開閉機構を有する一般的なプリンタ装置の構成を示す説明図である。
【０００７】
図２１において、１はプリンタ装置であり、Ａ４サイズの媒体を取扱うことが可能なように構成されている。
【０００８】
２はプリンタ装置１の印字ユニットであり、図示しない印字ヘッド等を備えており、通帳や伝票等の媒体にそれぞれの記載内容を印字する機能を有している。
【０００９】
４はプリンタ装置１のインサータユニットであり、挿入口５ａから挿入された媒体を印字ユニット２へ搬送する挿入搬送路５、および印字ユニット２で印字された媒体を排出口６ａへ搬送する排出搬送路６が形成されており、挿入搬送路５と排出搬送路６の分岐部には、搬送される媒体の搬送方向を切替える合成樹脂等で形成された切替ブレード７が設けられている。
【００１０】
８はプリンタ装置１の基台であり、挿入搬送路５や印字ユニット２との間に形成された印字搬送路９を構成する図示しないプレッシャローラや、印字ヘッドに対向配置された図示しないプラテン等が組込まれている。
【００１１】
１１は印字ユニット２を構成する第１の開閉部としての下印字部であり、基台８の印字搬送路９の、挿入搬送路５の挿入口５ａの反対側の端部に取付けられた図示しないブラケットに設けられた回転支点１１ａを中心に回動可能に構成されており、印字搬送路９を構成する図示しない搬送ローラおよびその駆動機構等が組込まれている。
【００１２】
１２は印字ユニット２を構成する第２の開閉部としての上印字部であり、下印字部１１上に配置され、下印字部１１と同じ回転支点１１ａを中心に回動可能に構成され、図示しないインクリボン式の印字ヘッドおよびその駆動機構が組込まれており、リボンカセット１２ｂが着脱可能に装着されている。
【００１３】
１３はインサータユニット４を構成する第３の開閉部としての下搬送部であり、基台８の挿入口５ａ側の端部に設けられた回転支点１３ａを中心に回動可能に構成され、挿入搬送路５を構成する図示しない搬送ローラおよびその駆動機構や切替ブレード７の駆動機構、排出搬送路６を構成する図示しないプレッシャローラ等が組込まれている。
【００１４】
１４はインサータユニット４を構成する第４の開閉部としての上搬送部であり、下搬送部１３の排出口６ａ側の端部に取付けられたブラケットに設けられた回転支点１４ａを中心に回動可能に構成され、排出搬送路６を構成する図示しない搬送ローラおよびその駆動機構等が組込まれており、印字ユニット２側の下搬送部１３の反対側の隅部には把手１４ｂが設けられている。
【００１５】
上記の下印字部１１および上印字部１２と、下搬送部１３および上搬送部１４とは、挿入搬送路５と印字搬送路９とで構成される搬送経路に沿って基台８上に配置され、基台８の中央部側のそれぞれの開放端を対向させて観音開きとなるように構成されている。
【００１６】
１５は引張コイルスプリング等の開閉スプリングであり、上印字部１２をその開放端を基台８から離間させる方向に付勢しており、上印字部１２を回転支点１１ａを中心に回動させて、上印字部１２を下印字部１１から開作動させる機能を有している。
【００１７】
１６はロックレバーであり、鋼板等の板材により形成され、基台８の下印字部１１の開放端の近傍に設けられた回転支点１６ａを中心に回動し、上印字部１２の中央部に設けられたロックポスト１７に係合して上印字部１２および下印字部１１を基台８にロックする爪部１８が形成されている。
【００１８】
また、ロックレバー１６の爪部１８の回転支点１６ａの反対側で、上下の印字部１２、１１の回転支点１１ａ側には、基台８に向かって爪部１８の先端側に拡大する斜面１９が形成され、上印字部１２の基台８への閉作動時にロックポスト１７が押圧する。
【００１９】
２０は引張コイルスプリング等のロックスプリングであり、ロックレバー１６の爪部１８を上印字部１２のロックポスト１７に係合させる方向に付勢している。
【００２０】
２１はフックレバーであり、鋼板等の板材を曲折して側面視でコの字状に形成され、基台８の下搬送部１３の開放端の近傍に設けられた回転支点２１ａを中心に回動し、その回転支点２１ａの反対側の端部には、上搬送部１４の開放端側に設けられた係合ポスト２２に係合するフック部２３が形成されている。
【００２１】
また、フックレバー２１のフック部２３の回転支点２１ａを挟んだ反対側の端部には、その端部を下印字部１１に向かう方向にＬ字状に曲折した押圧部２４が形成され、下印字部１１の基台８からの開放時に、下印字部１１の底面の開放端側に設けられた突出部２５を押圧する。
【００２２】
２６は引張コイルスプリング等のフックスプリングであり、フックレバー２１のフック部２３を上搬送部１４の係合ポスト２２から離間させる方向に付勢している。
【００２３】
上記のロックレバー１６とフックレバー２１等により、下印字部１１と上印字部１２からなる２つの開閉部を有する印字ユニット２と、下搬送部１３と上搬送部１４からなる２つの開閉部を有するインサータユニット４とを観音開きに配置した開閉機構のロック機構が構成される。
【００２４】
上記の構成のプリンタ装置１は、図２１に示す全体の閉鎖状態、つまり、フックレバー２１の押圧部２４を下印字部１１の底面の突出部２５で押圧して、そのフック部２３を、閉鎖状態にあるインサータユニット４の上搬送部１４の係合ポスト２２に係合させ、印字ユニット２の上印字部１２のロックポスト１７と、ロックレバー１６の爪部１８とを係合させ、下印字部１１、上印字部１２、下搬送部１３、上搬送部１４をそれぞれ閉鎖して基台８上にロックし、挿入搬送路５、排出搬送路６、印字搬送路９を形成した状態で、印字処理を実行する。
【００２５】
この印字処理の過程で、挿入搬送路５および／もしくは排出搬送路６にジャム等の搬送障害が発生した場合、または印字ユニット２のリボンカセット１２ｂを交換する場合は、操作者が、ロックレバー１６の回転支点１６ａの反対側の先端を、ロックスプリング２０の付勢力に抗してインサータユニット４の方向に回転支点１６ａを中心に回動させ、閉鎖状態にある印字ユニット２の上印字部１２のロックポスト１７とロックレバー１６の爪部１８との係合を解除すると（図２２参照）、図２３に示すように、上印字部１２が開閉スプリング１５の付勢力により、回転支点１１ａを中心に回動して下印字部１１から開作動し、下印字部１１の底面の突出部２５によるフックレバー２１の押圧部２４への押圧が解除され、フックレバー２１がフックスプリング２６の付勢力により、閉鎖状態にあるインサータユニット４の上搬送部１４の係合ポスト２２から離間する方向に回転支点２１ａを中心に回動して、上搬送部１４の係合ポスト２２とフックレバー２１のフック部２３との係合が解除されると共に、フックレバー２１の押圧部２４が、フックスプリング２６の付勢力によって、閉鎖状態にある下印字部１１の底面の突出部２５を押上げ、下印字部１１を回転支点１１ａを中心に回動させて基台８から開作動させる。
【００２６】
なお、操作者が、ロックレバー１６の先端から指を離すと、ロックレバー１６がロックスプリング２０の付勢力により、回転支点１６ａを中心に回動してロック位置（図２１に示す位置）に自動的に復帰する。
【００２７】
上搬送部１４の係合ポスト２２とフックレバー２１のフック部２３との係合が解除されると、操作者は、上搬送部１４の把手１４ｂを持上げて、図２４に示すように、上搬送部１４を回転支点１４ａを中心に下搬送部１３から開作動させ、上搬送部１４と下搬送部１３との間に設けられた図示しない連動機構により、下搬送部１３を回転支点１３ａを中心に回動させて基台８から開作動させる。
【００２８】
これにより、上印字部１２と下印字部１１との間、下印字部１１と基台８との間の印字搬送路９、下搬送部１３と基台８との間の挿入搬送路５、および上搬送部１４と下搬送部１３との間の排出搬送路６が開放される。
【００２９】
印字搬送路９、挿入搬送路５および排出搬送路６等の解放後に、操作者等は、印字搬送路９、挿入搬送路５および／もしくは排出搬送路６に存在するジャム媒体の除去、または上印字部１２と下印字部１１との間の開口から、リボンガイド等によるインクリボンの拘束を解除してリボンカセット１２ｂを交換する。
【００３０】
除去作業または交換作業の終了後に、操作者は、図２５に示すように、把手１４ｂによって、インサータユニット４の上搬送部１４を回転支点１４ａを中心に下搬送部１３へ閉作動させ、下搬送部１３を回転支点１３ａを中心に基台８へ閉作動させてインサータユニット４を閉鎖状態にし、その後に、印字ユニット２の上印字部１２を手で押して上印字部１２を開閉スプリング１５の付勢力に抗して回転支点１１ａを中心に回動させて下印字部１１へ閉作動させ、閉鎖した上印字部１２と下印字部１１とを更に回転支点１１ａを中心に回動させて基台８へ閉作動させて、印字ユニット２を閉鎖状態にする。
【００３１】
このとき、下印字部１１の底面の突出部２５がフックレバー２１の押圧部２４を押圧して、フックレバー２１がフックスプリング２６の付勢力に抗して回転支点２１ａを中心に回動し、そのフック部２３が閉鎖状態にあるインサータユニット４の上搬送部１４の係合ポスト２２に係合し、ロック位置に位置しているロックレバー１６の斜面１９を、回転支点１１ａを中心に回動する上印字部１２のロックポスト１７が押圧して、爪部１８をロックスプリング２０の付勢力に抗して回転支点１６ａを中心にロックポスト１７から離間する方向に回動させ、ロックポスト１７が斜面１９を通過して爪部１８に達すると、爪部１８がロックスプリング２０の付勢力により回転支点１６ａを中心にロックポスト１７の方向に回動して、図２６に示すように、爪部１８がロックポスト１７に係合し、印字ユニット２およびインサータユニット４を基台８にロックする。
【００３２】
このようにして、２つの開閉部を有するインサータユニット４と、２つの開閉部を有する印字ユニット２とを観音開きに配置した開閉機構を備えた一般的なプリンタ装置１のジャム媒体の除去作業やリボンカートリッジ１２ｂの交換作業が行われる。
【００３３】
しかしながら、上記した一般的なプリンタ装置１においては、インサータユニット４を取外すことなく、ジャム媒体の除去作業やリボンカートリッジ１２ｂの交換作業を行うことができるので、プリンタの設置場所の近傍のスペースユーティリティを高めることができるが、インサータユニット４の上下の搬送部１４、１３および印字ユニット２の上下の印字部１２、１１の解放後の閉鎖時に、操作者が、先に印字ユニット２を閉鎖状態にすると、図２７に示すように、フックレバー２１の押圧部２４が、下印字部１１の底面の突出部２５により押圧されて、フックレバー２１が回動して係合位置（図２１または図２７に示す位置）に位置してしまうため、インサータユニット４の閉作動時に、その上搬送部１４の係合ポスト２２がフックレバー２１のフック部２３に衝突してしまい、インサータユニット４を閉鎖状態にすることができないという問題がある。
【００３４】
また、上搬送部１４の係合ポスト２２のフック部２３への衝突により、印字ユニット２の閉鎖後、つまり間違えた閉鎖手順の最後に閉鎖手順の間違いに気付いた操作者は、一旦閉じようとしたインサータユニット４を開作動させ、ロックレバー１６を操作して印字ユニット２を開作動させ、その後にインサータユニット４を閉鎖状態にし、次いで印字ユニット２を押してロックレバー１６をロックポスト１７に係合させて、印字ユニット２およびインサータユニット４を基台８にロックさせることが必要になり、閉鎖手順を間違えると、印字ユニット２およびインサータユニット４の解放後に元の閉鎖状態に復帰させるまでの時間を要し、ジャム媒体の除去作業やリボンカートリッジ１２ｂの交換作業における作業効率を低下させるという問題がある。
【課題を解決するための手段】
【００３５】
本発明は、上記課題を解決するために、基台と、前記基台に設けられた回転支点を中心に回動する第１の開閉部と、前記第１の開閉部と同じ回転支点を中心に回動し、前記第１の開閉部上に配置された第２の開閉部と、前記基台に設けられた回転支点を中心に回動する第３の開閉部と、前記第３の開閉部に設けられた回転支点を中心に回動する第４の開閉部とを備え、前記第１および第２の開閉部と、前記第３および第４の開閉部とを、それぞれの開放端を対向させて前記基台上に観音開きに配置し、前記第１ないし第４の開閉部を開放状態にした後の閉鎖時に、前記第３および第４の開閉部を閉鎖した後に、前記第１および第２の開閉部を閉鎖するプリンタ装置において、前記基台に設けられた回転支点を中心に回動し、前記第１の開閉部の前記開放端側に設けられた当接ポストに嵌合する凹部と、前記凹部の口元の前記第１の開閉部の回転支点側に配置され前記当接ポストを当接させる当接部と、前記当接部の前記凹部を挟んだ反対側に配置され前記第４の開閉部の前記開放端側に設けられた係合ポストが押圧する傾斜部とを有するステイと、前記ステイの傾斜部の前記第４の開閉部の係合ポストの方向への回動を制限するストッパと、前記ステイを前記ストッパの方向に付勢する付勢手段と、を設け、前記第４の開閉部の閉作動時に、前記第４の開閉部の係合ポストにより前記ステイの傾斜部を押圧して当該ステイを前記付勢方向に抗して回動させて、前記第１の開閉部の当接ポストを前記ステイの凹部に嵌合させることによって、前記第４の開閉部を閉鎖した後に前記第１の開閉部を閉鎖状態にし、前記第１ないし第４の開閉部の開放時に、前記第１の開閉部の当接ポストと前記ステイの凹部との嵌合を解除することで、前記付勢方向に回動する前記ステイを前記ストッパで係止し、前記ステイの当接部を、前記第１の開閉部の当接ポストの前記第１の開閉部の回転支点を中心とした移動軌跡に交差する位置に位置させるように構成したことを特徴とする。
【発明の効果】
【００３６】
これにより、本発明は、第１ないし第４の開閉部を開放状態にした後の閉鎖時に、操作者が、先に第１および第２の開閉部を閉鎖状態にしようとした場合においても、ストッパに係止されたステイの当接部に、第１の開閉部の当接ポストを当接させて、第１の開閉部の基台への閉作動を阻止することができ、間違えた閉鎖手順の最初に、操作者に閉鎖手順の間違いに気付かせることが可能になり、第１ないし第４の開閉部の解放後に元の閉鎖状態に復帰させるまでの時間を短縮して、ジャム媒体の除去作業やリボンカートリッジの交換作業における作業効率を向上させることができるという効果が得られる。
【図面の簡単な説明】
【００３７】
【図１】実施例１のプリンタ装置の側面を示す説明図
【図２】実施例１のロック機構の配置を示す説明図
【図３】実施例１のステイを示す説明図
【図４】実施例１のプリンタ装置の開作動の手順を示す説明図
【図５】実施例１のプリンタ装置の開作動の手順を示す説明図
【図６】実施例１のプリンタ装置の開放状態示す説明図
【図７】実施例１のプリンタ装置の閉作動の手順を示す説明図
【図８】実施例１のプリンタ装置の閉作動の手順を示す説明図
【図９】実施例１のプリンタ装置の作用を示す説明図
【図１０】実施例１のプリンタ装置の閉作動時の課題を示す説明図
【図１１】実施例１のプリンタ装置の閉作動時の課題を示す説明図
【図１２】実施例２のプリンタ装置の側面を示す説明図
【図１３】実施例２のプリンタ装置の開作動の手順を示す説明図
【図１４】実施例２のプリンタ装置の開作動の手順を示す説明図
【図１５】実施例２のプリンタ装置の作用を示す説明図
【図１６】実施例３のプリンタ装置の側面を示す説明図
【図１７】実施例３のステイを示す説明図
【図１８】実施例３のプリンタ装置の開作動の手順を示す説明図
【図１９】実施例３のプリンタ装置の開作動の手順を示す説明図
【図２０】実施例３のプリンタ装置の作用を示す説明図
【図２１】一般的なプリンタ装置の側面を示す説明図
【図２２】一般的なプリンタ装置の開作動の手順を示す説明図
【図２３】一般的なプリンタ装置の開作動の手順を示す説明図
【図２４】一般的なプリンタ装置の開放状態を示す説明図
【図２５】一般的なプリンタ装置の閉作動の手順を示す説明図
【図２６】一般的なプリンタ装置の閉作動の手順を示す説明図
【図２７】一般的なプリンタ装置の閉作動時の課題を示す説明図
【発明を実施するための形態】
【００３８】
以下に、図面を参照して本発明によるプリンタ装置の実施例について説明する。
【実施例１】
【００３９】
以下に、図１ないし図９を用いて本実施例のプリンタ装置について説明する。
【００４０】
なお、上記一般的なプリンタ装置と同様の部分は、同一の符号を付してその説明を省略する。
【００４１】
また、図２は図１の上方から見たロック機構の配置を示す拡大図である。
【００４２】
本実施例のプリンタ装置１の基台８には、印字ユニット２とインサータユニット４との閉鎖手順の間違いを防止するために、先に印字ユニット２を閉作動させた場合に、印字ユニット２の閉作動を阻止するステイ３１が設けられている。
【００４３】
このステイ３１は、図１、図２に示すように、鋼板等の板材を曲折して形成され、フックレバー２１と同じ回転支点２１ａに嵌合する嵌合穴３１ａ（図３参照）により回転支点２１ａを中心に回動するよう構成されて、フックレバー２１の外側に配置されており（図２参照）、図３に示すように、下印字部１１の開放端側に設けられた当接ポスト３２に嵌合する凹部３３が形成されている。
【００４４】
また、ステイ３１の凹部３３の口元の下印字部１１の回転支点１１ａ側には、印字ユニット２の閉鎖手順を間違えたときに、下印字部１１の当接ポスト３２を当接させる当接部３４が形成され、当接部３４の凹部３３を挟んだ反対側には、凹部３３側から基台８に向かって拡大する傾斜部３５が形成されており、上搬送部１４の開放端側に設けられた係合ポスト２２が閉作動時に押圧する。
【００４５】
更に、ステイ３１の傾斜部３５側には、その縁部をフックレバー２１から離間する方向にＬ字状に曲折した係止部３６が形成されている（図２参照）。
【００４６】
３７は引張コイルスプリング等のステイスプリングであり、その一端がステイ３１に形成された取付穴３１ｂ（図３参照）に取付けられており、図１に示すように、ステイ３１の傾斜部３５を上搬送部１４の係合ポスト２２の方向に付勢している。
【００４７】
３８は基台８に立設されたストッパであり、ステイスプリング３７の付勢力により回転支点２１ａを中心に回動するステイ３１の係止部３６を係止して、ステイ３１の傾斜部３５の上搬送部１４の係合ポスト２２の方向への回動を制限する機能を有している。
【００４８】
上記のステイ３１の当接部３４は、ステイ３１がストッパ３８に係止されたときに、下印字部１１の当接ポスト３２の、回転支点１１ａを中心とした移動軌跡（図９に示す１点差線参照）に交差する位置に形成され、その凹部３３は、閉鎖状態のインサータユニット４の上搬送部１４の係合ポスト２２を、ステイスプリング３７の付勢力により傾斜部３５が押圧しているときに、回転支点１１ａを中心とした移動軌跡を移動する当接ポスト３２が嵌合する位置に形成されている。
【００４９】
上記のロックレバー１６とフックレバー２１、ステイ３１等により、下印字部１１と上印字部１２からなる２つの開閉部を有する印字ユニット２と、下搬送部１３と上搬送部１４からなる２つの開閉部を有するインサータユニット４とを観音開きに配置した本実施例の開閉機構のロック機構が構成される。
【００５０】
本実施例のプリンタ装置１は、図１に示す全体の閉鎖状態、つまり、上搬送部１４の係合ポスト２２によりステイ３１の傾斜部３４を押圧して、下印字部１１の当接ポスト３２を凹部３３に嵌合させると共に、フックレバー２１の押圧部２４を下印字部１１の底面の突出部２５で押圧して、そのフック部２３を閉鎖状態にあるインサータユニット４の上搬送部１４の係合ポスト２２に係合させ、印字ユニット２の上印字部１２のロックポスト１７と、ロックレバー１６の爪部１８とを係合させて、下印字部１１、上印字部１２、下搬送部１３、上搬送部１４をそれぞれ閉鎖して基台８上にロックし、挿入搬送路５、排出搬送路６、印字搬送路９を形成した状態で、印字処理を実行する。
【００５１】
この印字処理の過程で、挿入搬送路５および／もしくは排出搬送路６にジャム等の搬送障害が発生した場合、または印字ユニット２のリボンカセット１２ｂを交換する場合は、操作者が、上記一般的なプリンタ装置１の場合と同様にして、閉鎖状態にある印字ユニット２の上印字部１２のロックポスト１７とロックレバー１６の爪部１８との係合を解除すると（図４参照）、上記一般的なプリンタ装置１の場合と同様に、上印字部１２が回転支点１１ａを中心に回動して上印字部１２が下印字部１１から開作動し、下印字部１１の底面の突出部２５によるフックレバー２１の押圧部２４への押圧が解除され、フックレバー２１が、閉鎖状態にあるインサータユニット４の上搬送部１４の係合ポスト２２から離間する方向に回転支点２１ａを中心に回動して、上搬送部１４の係合ポスト２２とフックレバー２１のフック部２３との係合が解除されると共に、フックレバー２１の押圧部２４が、フックスプリング２６の付勢力によって、閉鎖状態にある下印字部１１の底面の突出部２５を押上げ、下印字部１１を回転支点１１ａを中心に回動させて基台８から開作動させる（図５参照。なお、図５に示すステイ３１は外形線のみで示してある。）。
【００５２】
このとき、ステイ３１は、図５に示すように、凹部３３と下搬送部１３の当接ポスト３２との嵌合および閉鎖状態にある上搬送部１４の係合ポスト２２への押圧により、全体の閉鎖状態（図１参照）のままの位置（原位置という。）で保持されており、下印字部１１の回転支点１１ａを中心とした回動に伴って、当接ポスト３２がその移動軌跡に沿って凹部３３内を移動し、当接ポスト３２が凹部３３の口元の当接部３４との角部の、回転支点２１ａを中心とした移動軌跡の外側に移動すると、当接ポスト３２と凹部３３との嵌合が解除される。
【００５３】
なお、操作者が、ロックレバー１６の先端から指を離すと、ロックレバー１６がロックスプリング２０の付勢力により、回転支点１６ａを中心に回動してロック位置に自動的に復帰する。
【００５４】
下印字部１１の当接ポスト３２とステイ３１の凹部３３との嵌合が解除された後に、操作者が、上搬送部１４の把手１４ｂを持上げて、上搬送部１４を回転支点１４ａを中心に下搬送部１３から開作動させると、ステイ３１の凹部３３は、ステイスプリング３７の付勢力により、回転支点２１ａを中心に当接ポスト３２から離間する方向に回動し、係止部３６がストッパ３８に当接して係止される（図６参照）。
【００５５】
そして、操作者が、把手１４ｂにより上搬送部１４を更に持上げると、上搬送部１４と下搬送部１３との間に設けられた図示しない連動機構により、下搬送部１３が回転支点１３ａを中心に回動して基台８から開作動する。
【００５６】
これにより、上印字部１２と下印字部１１との間、下印字部１１と基台８との間の印字搬送路９、下搬送部１３と基台８との間の挿入搬送路５、および上搬送部１４と下搬送部１３との間の排出搬送路６が開放された図６に示す開放状態になる。
【００５７】
印字搬送路９、挿入搬送路５および排出搬送路６の解放後に、操作者等は、上記一般的なプリンタ装置１の場合と同様にして、ジャム媒体の除去、リボンカセット１２ｂの交換を行う。
【００５８】
除去作業または交換作業の終了後に、操作者は、上記一般的なプリンタ装置１の場合と同様にして、図７に示すように、把手１４ｂにより、上搬送部１４および下搬送部１３を閉作動させてインサータユニット４を閉鎖状態にする。
【００５９】
このとき、上搬送部１４の係合ポスト２２が、ストッパ３８に係止されているステイ３１の傾斜部３５を押圧して、凹部３３をステイスプリング３７の付勢力に抗して回転支点２１ａを中心に下印字部１１の当接ポスト３２の方向に回動させ、ステイ３１を原位置に保持する。
【００６０】
その後に、操作者は、上記一般的なプリンタ装置１の場合と同様にして、図８に示すように、印字ユニット２の上印字部１２を手で押して上印字部１２および下印字部１１を閉作動させて印字ユニット２を閉鎖状態にする。
【００６１】
このとき、下印字部１１の当接ポスト３２が回転支点１１ａを中心とした移動軌跡に沿って凹部３３の方向に移動し、原位置に保持されているステイ３１の凹部３３に嵌合すると共に、上記一般的なプリンタ装置１の場合と同様にして、下印字部１１の底面の突出部２５がフックレバー２１の押圧部２４を押圧し、フックレバー２１のフック部２３が閉鎖状態にあるインサータユニット４の上搬送部１４の係合ポスト２２に係合し、ロック位置に位置しているロックレバー１６の爪部１８にロックポスト１７が係合して、印字ユニット２およびインサータユニット４を基台８にロックし、全体を閉鎖状態にする。
【００６２】
このようにして、２つの開閉部を有するインサータユニット４と、２つの開閉部を有する印字ユニット２とを観音開きに配置した開閉機構を備えた本実施例のプリンタ装置１のジャム媒体の除去作業やリボンカートリッジ１２ｂの交換作業が行われる。
【００６３】
上記したインサータユニット４の上下の搬送部１４、１３および印字ユニット２の上下の印字部１２、１１の解放後の閉鎖時に、操作者が、先に印字ユニット２を図６に示した開放状態から閉鎖状態にしようとした場合は、図９に示すように、ステイ３１がストッパ３８に係止され、ステイ３１の当接部３４が、下印字部１１の当接ポスト３２の回転支点１１ａを中心とした、図９に一点鎖線で示す移動軌跡に交差する位置に位置しているので、印字ユニット２の閉作動時に当接ポスト３２がステイ３１の当接部３４に当接して、下印字部１１の基台８への閉作動が阻止され、印字ユニット２を閉鎖状態にすることができないため、印字ユニット２の閉鎖前、つまり閉鎖手順の最初に閉鎖手順の間違いに気付いた操作者が、一旦閉じようとした印字ユニット２から手を離せば、印字ユニット２が開閉スプリング１５およびロックスプリング２０の付勢力により自動的に開作動して元の開放状態に戻り、その後にインサータユニット４を閉鎖状態にし、再び印字ユニット２を押してロックレバー１６をロックポスト１７に係合させれば、印字ユニット２およびインサータユニット４を基台８にロックさせることができ、閉鎖手順を間違えたとしても、印字ユニット２およびインサータユニット４の解放後に元の閉鎖状態に復帰させるまでの時間を短縮することができ、ジャム媒体の除去作業やリボンカートリッジ１２ｂの交換作業における作業効率を向上させることができる。
【００６４】
以上説明したように、本実施例では、下搬送部および上搬送部と、下印字部および上印字部とをそれぞれの開放端を対向させて基台上に観音開きに配置し、これらを全て開放した開放状態の後の閉鎖時に、下搬送部および上搬送部を閉鎖した後に、下搬送部および上印字部を閉鎖するプリンタ装置において、基台に設けられた回転支点を中心に回動し、下印字部の開放端側に設けられた当接ポストに嵌合する凹部と、凹部の口元の下印字部の回転支点側に配置され当接ポストを当接させる当接部と、当接部の凹部を挟んだ反対側に配置され、上搬送部の開放端側に設けられた係合ポストが押圧する傾斜部とを有するステイと、ステイの傾斜部の上搬送部の係合ポストの方向への回動を制限するストッパとを設け、上搬送部の係合ポストによりステイの傾斜部を押圧し下印字部の当接ポストを凹部に嵌合させて下搬送部、上搬送部、下印字部、上印字部を閉鎖状態にし、これらの開放時に、下印字部の当接ポストと凹部との嵌合を解除してストッパでステイを係止し、ステイの当接部を、下印字部の当接ポストの下印字部の回転支点を中心とした移動軌跡に交差する位置に位置させるようにしたことによって、インサータユニットおよび印字ユニットを開放状態にした後の閉鎖時に、操作者が、先に印字ユニットを閉鎖状態にしようとした場合においても、ストッパに係止されたステイの当接部に、下印字部の当接ポストを当接させて下印字部の基台への閉作動を阻止することができ、間違えた閉鎖手順の最初に、操作者に閉鎖手順の間違いに気付かせることが可能になり、印字ユニットおよびインサータユニットの解放後に元の閉鎖状態に復帰させるまでの時間を短縮して、ジャム媒体の除去作業やリボンカートリッジの交換作業における作業効率を向上させることができる。
【実施例２】
【００６５】
以下に、図１２ないし図１４を用いて本実施例のプリンタ装置について説明する。
【００６６】
なお、上記一般的なプリンタ装置および実施例１と同様の部分は、同一の符号を付してその説明を省略する。
【００６７】
まず、図１０および図１１を用いて、本実施例の課題について説明する。
【００６８】
上記したように、実施例１のプリンタ装置１においては、プリンタ装置１の印字ユニット２とインサータユニット４とを通常通りに開放状態にした後に、閉鎖手順を間違えたとしても、ストッパ３８に係止されたステイ３１の当接部３４に下印字部１１の当接ポスト３２を当接させて、印字ユニット２の開作動を阻止して操作者に閉鎖手順の間違いを気付かせることができるが、以下に示す印字ユニット２の半開状態の場合には、稀に印字ユニット２の開作動を阻止することができない場合がある。
【００６９】
すなわち、図１に示す全体の閉鎖状態からの印字ユニット２の開作動の初期において、操作者が、上記一般的なプリンタ装置１の場合と同様にして、閉鎖状態にある印字ユニット２の上印字部１２のロックポスト１７とロックレバー１６の爪部１８との係合を解除し、図１０（図１０に示すステイ３１は外形線のみで示してある。）に示すように、その上印字部１２の上面を手で支えながら、上印字部１２を回転支点１１ａを中心に回動させ、当接ポスト３２がその移動軌跡に沿って凹部３３内を移動し、まだ凹部３３内に位置している半開状態の場合に、下印字部１１の回転支点１１ａを中心とした回動に伴って、押圧部２４により下印字部１１の底面の突出部２５を押圧していたフックレバー２１が、フックスプリング２６の付勢力によって、回転支点２１ａを中心に回動してフック部２３の先端が、図１０に１点鎖線で示す上搬送部１４の回転支点１４ａを中心とした係合ポスト２２の回転支点１４ａ側の外周面の移動軌跡の内側に移動して、フック部２３と上搬送部１４の係合ポスト２２との係合が解除されると、図１０に２点鎖線で示すように、操作者は、上搬送部１４の把手１４ｂを持上げて、ステイ３１の凹部３３と下搬送部１３の当接ポスト３２との嵌合により原位置に保持されているステイ３１から、上搬送部１４の係合ポスト２２を離間させて、回転支点１４ａを中心に下搬送部１３から開作動させることができる。
【００７０】
この上搬送部１４を開放した状態で、印字ユニット２の上印字部１２を手で押すと、当接ポスト３２は、まだ凹部３３内に位置しているので、上印字部１２および下印字部１１を閉作動させて印字ユニット２を閉鎖状態にすることができ、その後に開放した上搬送部１４を閉作動させると、図１１に示すように、上搬送部１４の係合ポスト２２がフックレバー２１のフック部２３に衝突してしまい、インサータユニット４を閉鎖状態にすることができないため、操作者は一旦印字ユニット２を開放状態にして、その後に閉鎖手順に従ってインサータユニット４を閉鎖状態にする必要があり、ジャム媒体の除去作業やリボンカートリッジの交換作業における作業効率を低下させてしまうという課題がある。
【００７１】
本実施例は、前記した課題を解決するために、実施例１のプリンタ装置１に改良を加えたものである。
【００７２】
本実施例のフックレバー２１のフック部２３には、図１２に示すように、２点鎖線で示した実施例１のフック部２３の先端を、下印字部１１の回転支点１１ａ側に伸張させた伸張部４１が設けられている。
【００７３】
この伸張部４１の先端は、下印字部１１の当接ポスト３２と、ステイ３１の凹部３３との嵌合が解除されたときに、フック部２３の伸張部４１と上搬送部１４の係合ポスト２２との当接（図１３参照）が解除される位置、つまり凹部３３の口元の当接部３４との角部の、回転支点２１ａを中心とした移動軌跡（図１４に示す２点差線参照。なお図１４に示すステイ３１は外形線のみで示してある。）の外側に当接ポスト３２が移動したときに、回転支点１４ａを中心とした上搬送部１４の係合ポスト２２の回転支点１４ａ側の外周面の移動軌跡（図１４に示す１点差線参照）の内側に位置する位置に形成されている。
【００７４】
本実施例のプリンタ装置１の通常通りの開放手順および閉鎖手順による各部位の作動は、上記実施例１の場合と同様であるので、その説明を省略する。
【００７５】
以下に、印字ユニット２の半開状態における本実施例の伸張部４１を設けたフック部２３の作用について説明する。
【００７６】
本実施例のプリンタ装置１の全体の閉鎖状態からの印字ユニット２の開作動の初期において、操作者が、上記一般的なプリンタ装置１の場合と同様にして、閉鎖状態にある印字ユニット２の上印字部１２のロックポスト１７とロックレバー１６の爪部１８との係合を解除し、図１３（図１３に示すステイ３１は外形線のみで示してある。）に示すように、その上印字部１２の上面を手で支えながら、上印字部１２を回転支点１１ａを中心に回動させ、当接ポスト３２がその移動軌跡に沿って凹部３３内を移動し、まだ凹部３３内に位置している半開状態の場合に、下印字部１１の回転支点１１ａを中心とした回動に伴って、押圧部２４により下印字部１１の底面の突出部２５を押圧していたフックレバー２１が、フックスプリング２６の付勢力によって、回転支点２１ａを中心に回動して係合ポスト２２との係合が解除され、ステイ３１の傾斜部３５から上搬送部１４の係合ポスト２２を離間させることが可能な状態であっても、本実施例のフックレバー２１のフック部２３には、その先端が、下印字部１１の当接ポスト３２と、ステイ３１の凹部３３との嵌合が解除されるまでは、回転支点１４ａを中心とした上搬送部１４の係合ポスト２２の移動軌跡（好ましくは、係合ポスト２２の回転支点１４ａと反対側の外周面の移動軌跡）の外側に位置する伸張部４１が形成されているので、操作者は、上搬送部１４の把手１４ｂを持上げて、上搬送部１４を回転支点１４ａを中心に下搬送部１３から開作動させようとしても、係合ポスト２２が伸張部４１に当接して上搬送部１４の開作動が阻止される。
【００７７】
この場合に、印字ユニット２の上印字部１２を手で押したとしても、当接ポスト３２は、まだ凹部３３内に位置しているので、上印字部１２および下印字部１１を閉作動させて印字ユニット２が閉鎖状態になり、そのときの下印字部１１の回動に伴って、フックレバー２１の押圧部２４が下印字部１１の底面の突出部２５に押圧されて元の状態に復帰し、伸張部４１が形成されたフック部２３が再び上印字部１２の係合ポスト２２に係合する。
【００７８】
そして、図１４に示すように、下印字部１１の当接ポスト３２が、図１４に１点鎖線で示すステイ３１の凹部３３の口元の当接部３４との角部の、回転支点２１ａを中心とした移動軌跡の外側に移動して、当接ポスト３２と凹部３３との嵌合が解除されたときに、フック部２３の伸張部４１の先端が、図１４に１点鎖線で示す上搬送部１４の回転支点１４ａを中心とした係合ポスト２２の回転支点１４ａ側の外周面の移動軌跡の内側に移動して、フック部２３と上搬送部１４の係合ポスト２２との係合が解除され、操作者は、上搬送部１４の把手１４ｂを持上げて、上搬送部１４を回転支点１４ａを中心に下搬送部１３から開作動させることができる。
【００７９】
そして、下印字部１１の当接ポスト３２とステイ３１の凹部３３との嵌合が解除された後に、操作者が、上搬送部１４の把手１４ｂを持上げて、上搬送部１４を回転支点１４ａを中心に下搬送部１３から開作動させると、凹部３３による当接ポスト３２との嵌合が解除されたステイ３１は、図１５に示すように、その凹部３３がステイスプリング３７の付勢力により、回転支点２１ａを中心に当接ポスト３２から離間する方向に回動し、係止部３６がストッパ３８に当接して係止され、上記実施例１で説明したのと同様に、その後の印字ユニット２の間違えた閉鎖手順による閉作動を阻止する。
【００８０】
以上説明したように、本実施例では、上記実施例１と同様の効果に加えて、フックレバーのフック部に、その先端を、下印字部の当接ポストとステイの凹部との嵌合が解除されたときに、上搬送部の係合ポストとの当接が解除される位置に位置させた伸張部を設けたことによって、インサータユニットおよび印字ユニットの開放時に、操作者が、当接ポストが凹部内に位置している半開状態で印字ユニットを保持しながらインサータユニットを開作動させようとしても、下印字部の当接ポストと、ステイの凹部との嵌合が解除されるまでは、上搬送部の係合ポストをフック部の伸張部に当接させてインサータユニットの上搬送部の開作動を阻止することができ、当接ポストと凹部との嵌合の解除前における半開状態での上搬送部の開作動を防止して、ジャム媒体の除去作業やリボンカートリッジの交換作業における作業効率を向上させることができる。
【実施例３】
【００８１】
以下に、図１６ないし図２０を用いて本実施例のプリンタ装置について説明する。
【００８２】
なお、上記一般的なプリンタ装置および実施例１と同様の部分は、同一の符号を付してその説明を省略する。
【００８３】
本実施例は、上記実施例２で説明した課題を解決するために、実施例１のプリンタ装置１に改良を加えたものである。なお、本実施例のフックレバー２１は、上記実施例１と同様の形状に形成されている。
【００８４】
本実施例のステイ３１の傾斜部４４は、上記実施例１の傾斜部３５と同様に、上搬送部１４の係合ポスト２２が閉作動時に押圧して、凹部３３をステイスプリング３７の付勢力に抗して下印字部１１の当接ポスト３２の方向に回動させるように形成されている。
【００８５】
また、ステイ３１の傾斜部４４の上搬送部１４の係合ポスト２２側には、図１６、図１７に示すように、係合ポスト２２に係合する係合部４５が設けられている。
【００８６】
なお、凹部３３は、閉鎖状態のインサータユニット４の上搬送部１４の係合ポスト２２に、ステイ３１の係合部４５が係合しているときに、回転支点１１ａを中心とした移動軌跡を移動する当接ポスト３２が嵌合する位置に形成されている。
【００８７】
また、係合部４５は、下印字部１１の当接ポスト３２と、ステイ３１の凹部３３との嵌合が解除されたとき、つまり凹部３３の口元の当接部３４との角部の、回転支点２１ａを中心とした移動軌跡（図１９に示す２点差線参照）の外側に当接ポスト３２が移動したときに、ステイスプリング３７の付勢力によって、係合部４５と上搬送部１４の係合ポスト２２との係合を解除するように形成され、係合部４５の開口の傾斜部４４に対向する角部４６（図１７参照）は、係合部４５と係合ポスト２２との係合が解除された後に、ステイスプリング３７の付勢力によって傾斜部４４に当接した係合ポスト２２の、回転支点１４ａを中心とした上搬送部１４の係合ポスト２２の移動軌跡（好ましくは、係合ポスト２２の回転支点１４ａ側の外周面の移動軌跡（図１９に示す１点差線参照））の内側に位置する位置に形成されている。
【００８８】
本実施例のプリンタ装置１の通常通りの開放手順および閉鎖手順による各部位の作動は、上記実施例１の場合と同様であるので、その説明を省略する。
【００８９】
この場合に、図１６に示す全体の閉鎖状態は、上搬送部１４の係合ポスト２２をステイ３１の係合部４５に係合させて下印字部１１の当接ポスト３２を凹部３３に嵌合させると共に、フックレバー２１の押圧部２４を下印字部１１の底面の突出部２５で押圧して、そのフック部２３を閉鎖状態にあるインサータユニット４の上搬送部１４の係合ポスト２２に係合させ、印字ユニット２の上印字部１２のロックポスト１７と、ロックレバー１６の爪部１８とを係合させて形成する。
【００９０】
また、実施例１の図５において、印字ユニット２の開作動時に、下印字部１１の当接ポスト３２とステイ３１の凹部３３との嵌合が解除されたときに、ステイ３１の凹部３３が、ステイスプリング３７の付勢力により、回転支点２１ａを中心に当接ポスト３２から離間する方向に回動してステイ３１の係合部４５と上搬送部１４の係合ポスト２２との係合が解除されると共に傾斜部４４が係合ポスト２２に当接し、操作者による上搬送部１４の開作動が可能になる。
【００９１】
以下に、印字ユニット２の半開状態における本実施例の係合部４５を設けたステイ３１の作用について説明する。
【００９２】
本実施例のプリンタ装置１の全体の閉鎖状態からの印字ユニット２の開作動の初期において、操作者が、上記一般的なプリンタ装置１の場合と同様にして、閉鎖状態にある印字ユニット２の上印字部１２のロックポスト１７とロックレバー１６の爪部１８との係合を解除し、図１８（図１８に示すステイ３１は外形線のみで示してある。）に示すように、その上印字部１２の上面を手で支えながら、上印字部１２を回転支点１１ａを中心に回動させ、当接ポスト３２がその移動軌跡に沿って凹部３３内を移動し、まだ凹部３３内に位置している半開状態の場合に、下印字部１１の回転支点１１ａを中心とした回動に伴って、押圧部２４により下印字部１１の底面の突出部２５を押圧していたフックレバー２１が、フックスプリング２６の付勢力によって、回転支点２１ａを中心に回動してフック部２３の先端が、上搬送部１４の回転支点１４ａを中心とした係合ポスト２２の回転支点１４ａ側の外周面の移動軌跡の内側に移動して、フック部２３と上搬送部１４の係合ポスト２２との係合が解除されたとしても（図１８参照）、下印字部１１の当接ポスト３２とステイ３１の凹部３３との嵌合が解除されるまでは、当接ポスト３２と凹部３３との嵌合により原位置に保持されているステイ３１の係合部４５が、閉鎖状態にある上搬送部１４の係合ポスト２２に係合しているので、操作者が上搬送部１４の把手１４ｂを持上げて、上搬送部１４を回転支点１４ａを中心に下搬送部１３から開作動させようとしても、その開作動が阻止される。
【００９３】
この場合に、印字ユニット２の上印字部１２を手で押したとしても、当接ポスト３２は、まだ凹部３３内に位置しているので、上印字部１２および下印字部１１を閉作動させて印字ユニット２が閉鎖状態になり、そのときの下印字部１１の回動に伴って、フックレバー２１の押圧部２４が下印字部１１の底面の突出部２５に押圧されて元の状態に復帰し、フック部２３が再び上印字部１２の係合ポスト２２に係合する。
【００９４】
そして、図１９に示すように、下印字部１１の当接ポスト３２が、図１９に１点鎖線で示すステイ３１の凹部３３の口元の当接部３４との角部の、回転支点２１ａを中心とした移動軌跡の外側に移動して、当接ポスト３２と凹部３３との嵌合が解除されたときに、ステイ３１の凹部３３が、ステイスプリング３７の付勢力により、回転支点２１ａを中心に当接ポスト３２から離間する方向に回動してステイ３１の係合部４５と上搬送部１４の係合ポスト２２との係合が解除されると共に傾斜部４４が係合ポスト２２に当接し、係合部４５の角部４６が、上搬送部１４の回転支点１４ａを中心とした係合ポスト２２の移動軌跡の内側に移動し、操作者は、上搬送部１４の把手１４ｂを持上げて、上搬送部１４を回転支点１４ａを中心に下搬送部１３から開作動させることができる。
【００９５】
そして、下印字部１１の当接ポスト３２とステイ３１の凹部３３との嵌合が解除された後に、操作者が、上搬送部１４の把手１４ｂを持上げて、上搬送部１４を回転支点１４ａを中心に下搬送部１３から開作動させると、傾斜部４４の係合ポスト２２への当接が解除されたステイ３１は、図２０に示すように、その凹部３３がステイスプリング３７の付勢力により、回転支点２１ａを中心に当接ポスト３２から離間する方向に回動し、係止部３６がストッパ３８に当接して係止され、上記実施例１で説明したのと同様に、その後の印字ユニット２の間違えた閉鎖手順による閉作動を阻止する。
【００９６】
以上説明したように、本実施例では、上記実施例１と同様の効果に加えて、ステイの傾斜部の係合ポスト側に係合ポストに係合する係合部を設けると共に、ステイの傾斜部を上搬送部の係合ポストの方向に付勢するステイスプリングを設け、下印字部の当接ポストとステイの凹部との嵌合が解除されたときに、ステイスプリングの付勢力により、係合部と係合ポストとの係合を解除するようにしたことによって、インサータユニットおよび印字ユニットの開放時に、操作者が、当接ポストが凹部内に位置している半開状態で印字ユニットを保持しながらインサータユニットを開作動させようとしても、下印字部の当接ポストとステイの凹部との嵌合が解除されるまでは、上搬送部の係合ポストをステイの係合部に係合させて、インサータユニットの上搬送部の開作動を阻止することができ、当接ポストと凹部との嵌合の解除前における半開状態での上搬送部の開作動を防止して、ジャム媒体の除去作業やリボンカートリッジの交換作業における作業効率を向上させることができる。
【００９７】
なお、上記各実施例においては、４つの開閉部を観音開きに配置した開閉機構を例に説明したが、５以上の開閉を観音開きに配置した開閉機構に本発明を適用しても、上記と同様の効果を得ることができる。
【符号の説明】
【００９８】
１    プリンタ装置
２    印字ユニット
４    インサータユニット
５    挿入搬送路
５ａ  挿入口
６    排出搬送路
６ａ  排出口
７    切替ブレード
８    基台
９    印字搬送路
１１  下印字部
１１ａ、１３ａ、１４ａ、１６ａ、２１ａ  回転支点
１２  上印字部
１２ｂ  リボンカセット
１３  下搬送部
１４  上搬送部
１４ｂ  把手
１５  開閉スプリング
１６  ロックレバー
１７  ロックポスト
１８  爪部
１９  斜面
２０  ロックスプリング
２１  フックレバー
２２  係合ポスト
２３  フック部
２４  押圧部
２５  突出部
２６  フックスプリング
３１  ステイ
３１ａ  嵌合穴
３１ｂ  取付穴
３２  当接ポスト
３３  凹部
３４  当接部
３５、４４  傾斜部
３６  係止部
３７  ステイスプリング
３８  ストッパ
４１  伸張部
４５  係合部
【図１】
0005407721.tif 000002
【図２】
0005407721.tif 000003
【図３】
0005407721.tif 000004
【図４】
0005407721.tif 000005
【図５】
0005407721.tif 000006
【図６】
0005407721.tif 000007
【図７】
0005407721.tif 000008
【図８】
0005407721.tif 000009
【図９】
0005407721.tif 000010
【図１０】
0005407721.tif 000011
【図１１】
0005407721.tif 000012
【図１２】
0005407721.tif 000013
【図１３】
0005407721.tif 000014
【図１４】
0005407721.tif 000015
【図１５】
0005407721.tif 000016
【図１６】
0005407721.tif 000017
【図１７】
0005407721.tif 000018
【図１８】
0005407721.tif 000019
【図１９】
0005407721.tif 000020
【図２０】
0005407721.tif 000021
【図２１】
0005407721.tif 000022
【図２２】
0005407721.tif 000023
【図２３】
0005407721.tif 000024
【図２４】
0005407721.tif 000025
【図２５】
0005407721.tif 000026
【図２６】
0005407721.tif 000027
【図２７】
0005407721.tif 000028